(57)【要約】【課題】  四季を通じ普段の生活に馴染み、暗闇でも身元の存在が確認され、防炎と防水と防寒と浮きと緩衝の効果を得られつつ避難用品等をより多くより軽く容易に素早く避難でき救助される防災服を要求される。【解決手段】  防災布か一般布で帽子付きのコート型防災服とし、防寒性と複数のポケットで避難袋の役目と中に収納した各用品等で緩衝効果を持ち、浮き用品を収納する事で沈まない。背負い紐と抱き紐で介助者の手は取られず救助し救助される。使用した着脱手段などや布等の色形や模様を夜光性にすると暗闇でもそれを見分ける事が出来る。普段着に近いデザインなので、いつでもどこでも誰でも着用でき、身近で親しめ、安心感を得られ使用に慣れる。この１着の防災服でより早く容易に安全に避難できる。しかも普段では、身体障害者や乳幼児の介助負担が軽減され、寝たきりの人や新生児用は、敷きパットにこの機能を持たせ同様の効果を得る。【選択図】  図２
2004337593.tif 000002
【特許請求の範囲】
【請求項１】
防災布、又は、季節に合った一般布、又は、健康志向布などを用い、形を普段に一般人が着用できるようなコート型で、帽子付きの防災服とし、本防災服の背中部に、背負い紐を着脱又は、固着し、本防災服の着用者を介助者が背負うことができる防災服。
【請求項２】
請求項１の防災服であって、防災服の背中部に、縫着又は固着（以下、固着と略す）した背負い紐の数カ所を分断し、分断先に取り付けた着脱手段を係着し継ぎ足し、背負い紐先の着脱手段と本防災服後身頃の裾尻部の着脱手段を係着させ、本防災服本体をリュック状にして、背負うことが出来る防災服。
【請求項３】
請求項１〜２の防災服の内外に避難袋に相当する、複数のポケットを設けた防災服。
【請求項４】
請求項１〜４の防災服に附属する帽子の内側、または、外側、又は、内外双方に緩衝用品、浮き用品、生活用品等を入れるポケットを設け、且つ帽子は着脱手段により、防災服から外し、枕や、手提げ袋の代用にできる防災服。
【請求項５】
請求項１から５の防災服に抱き紐を着脱できる防災服。
【請求項６】
請求項１〜５の防災服であって、防災服の背中部に、首の固定具を出し入れできる防災服。
【請求項７】
請求項１〜５の防災服に使用する着脱手段や、開閉手段や固着手段や、紐や、用布の模様やマークに、夜光性のある物を、それぞれの部分、又は、全部に用いることもある防災服。
【発明の詳細な説明】
【技術分野】
【０００１】
本発明は、普段の生活に着用しながら、介助の役目を果たし、緊急時に防災の役目果たす防災服に関するものである。
【背景技術】
【０００２】
これまでの防災服は、消防服のように防災時の防炎と防水の効果がある物は、消防等の職業人以外の人が着用することはなく、入手できても普段の生活には馴染み難い。そのため、災害時には防炎具や防水具の他に防寒具や緩衝用品や避難袋や履き物や明かりの外、水害地では浮き用品等の数点を持ち出さなくてはならない。しかも、災害時は散乱、破壊が予想され特に暗闇では、準備していたとしても持ち出せにくく水害があれば浮き用品を流失することもある。
【０００３】
また、これらを避難時用に全てを準備し保管する場合、家庭においては家族分、職場や学校、老人施設、保育施設、等の集合施設においては収容人数分を準備し保管することとなり、保管スペースは大きく、保管管理は煩わしく困難である。仮に用意周到に準備し保管していたとしても、保管場所から少しでも離れた場所での対策は皆無に等しいが、災害は時場所を選ばずやってくるので素早く対応できないのが現状である。
【０００４】
また、準備した物で素早く対応できたとしても身動きできない人を救助するとき、救助者や介助者(以下、介助者と略す)は、背負ったり抱いたり、担架などで運ぶ場合、介助者の両手を取られ、介助者自体の避難も困難になる。救助や避難ができたとしても、避難後の生活は困難である。まして密集地や要介護施設（病院・老人施設・保育施設等）での対応は、従来の技術では困難を極めると予想される。寝たきりの人や乳幼児の防災服はない。
【特許文献１】特開平８−２９６１０４号公報
【特許文献２】特開２０００−２２６７０６号公報
【特許文献３】特開平８−２３８１５４号公報
【特許文献４】特開２００１−２７９５０６号公報
【特許文献５】特開平１１−４７２９２号公報
【特許文献６】特開２００２−３０９４１０号公報
【特許文献７】特開平８−９２８０５号公報
【特許文献８】特表平１−５００７６４公報
【特許文献９】実用新案登録番号第３０３２２１８号
【特許文献１０】実開昭６１−５５０１６公報
【特許文献１１】実開昭５９−６１２１３号公報
【特許文献１２】実開昭５９−１７７３６８号公報
【特許文献１３】実開昭５８−２２９１０号公報
【特許文献１４】実開昭１２３７４号公報
【特許文献１５】実開昭６１−５９６０８号公報
【特許文献１６】実開昭６１−５９６０９号公報
【発明の開示】
【発明が解決しようとする課題】
【０００５】
防災服に要求される特性として以下の物がある。
いつでも、どこでも、誰でも素早く容易に着用できる物とする。季節、場所、体格、年齢、好み、障害等があっても、幅広く対応できるような構造と素材にし、普段の生 活に溶けこみ慣れ親しめるようにする。保管スペースをより小さくする。火災や雨、風、雪、寒さ、暑さ、衝撃、等を緩和し暗闇でも容易に行動でき、暗闇や声を出せな い状態でも存在や身元を確定できるようにする。水害や津波の時も沈まないようにするために浮き用品をできるだけ多く簡単に確実に収納する方法と素早く取り出す方法 を考える。身動きできない人を救助や介助ができ、介助者の両手がなるべく取られないようにしたい。これは素早い対応ができる構造にし、安全性と快適度が高い素材と構造により身体に負担の少ない形にしたい。状況により対応の緩急に合うデザインや着脱手段を考える。
本発明は、以上の課題を解決するための防災用品を提供することを目的とする。
【課題を解決するための手段】
【０００６】
このような課題を解決するために請求項１の発明で用いる布は、防炎効果や難燃効果のある防災布、又は、防水や撥水効果のある布、又は、防炎、難燃、防水、撥水、放湿等の効果を併せ持つ布、又は、その加工してある布、又は、夏涼しく、冬暖かく、季節に合わせた一般布、又は、アレルギー肌や健康維持に対応する健康志向布、又は、これらを組み合わせて用い、形を普段に一般人が着用しても普段生活に違和感なく溶け込めるような、帽子付きで前開きのコート型の防災服とする。前開き打ち合わせには複数の着脱手段で開閉できるようにする。袖や衿は季節と好みとＴＰＯに合わせ対応させる。
【０００７】
又、寝たきりの人や乳幼児（以下、被介護者と略す）には、切り込みを入れた敷パット  の着脱手段で、着衣状に装着し、これを防災服とする。
【０００８】
上記の防災服の背中部に背負い紐を着脱又は固着（以下、固着と略す）し背負いに必要な丈の背負い紐で本防災服の着用者を介助者が背負い、紐を結ぶか、紐先の着脱手段を係着し、介助者に着用者を固定する。敷パットにおいても同様にする。
【０００９】
請求項２の発明では、上記の防災服背中の背負い紐の固着部以外の数カ所で、背負い紐を分断させ、分断させた背負い紐先に着脱具を取り付け、取り付けた着脱具を係着し継ぎ足し、背負いに必要な丈とした背負い紐先の着脱具に、本防災服の裾尻部の角に取り付けた着脱具を係着させると、本防災服自体がリュック状となり、リュック状とした本防災服の着用者を介助者が背負う。敷パットにおいても同様である。
【００１０】
本防災服の裾は、着用者の尻をすっぽり包む長さとし、防災服の裾尻部の左右の角に、背負い紐先の着脱具に係着できる着脱具を取り付ける。一方、防災服の身丈が尻より短いデザインの場合は、後ろ身頃の裾尻部を長く延ばすか、別布を取り付けて長くし、長くした裾尻部の左右の角に着脱具を取り付ける。長くした裾尻部を前身頃と同じ裾丈まで折り上げ防災服の内側に着脱手段で止める。
【００１１】
防災服裾尻部と防災服の丈が同寸である場合、又、防災服の丈が長めの場合は、スリットを入れ歩行しやすくしてもよい。スリットを入れた場合は裾尻部の左右の角に取り付けた着脱具を外から見えないように取り付けてもよい。又防災服裾尻部位置より防災服の裾を長くした場合は、着脱具の取り付け位置は、尻をすっぽり包める位置と する。スリットの扱いは、上記と同じである。こうすることで外見からは防災服ではなく普段着である。防災服の丈が長い場合は、裾尻部位置まで、又、もっと上まで何段かに分けて上へ折り上げ、着脱手段で防災服内側へ止められるようにしておいてもよい。
【００１２】
又、裾尻部の左右の角に着脱具を直接取り付けてもよいが、背負い紐の一部分か補強布を裾尻部ヘムに内蔵させてから、着脱具を取り付けるとより安全となり、又、その紐を防災服裾尻部ヘムに固着すると上記の取り付け方よりも安全を得られる。
【００１３】
背負う時、上記の防災服の着用者と介助者、又、被介護者と介助者の体格に合わせられるように背負い紐に長さ調節具を取り付け背負い紐丈を適量に調節する。背負った時、介助者の肩から背負い紐がズレ落ちないようにズレ防止紐、又は、ズレ防止着脱具を取り付け、係着するか、背負い紐を介助者の上腹部でクロス状にして結ぶか、係着する。
【００１４】
背負い紐は背負った時、着用者や被介護者の背中や脇や尻、又、介助者の肩や胸に、くい込まないような厚みを持たせるか、幅を持たせるか、厚みや幅の補助物を用いる。
【００１５】
又、背負い紐や着脱具や長さ調節具は強度と安全性のあるものとし、且つ、使用が簡便で素早く着脱操作できる物とする。又、規格が同じであれば、別の紐の着脱具へ係着できる。
【００１６】
請求項１〜２の防災服であって、請求項３では、透明ポケットを含む複数のポケットを設け、避難袋や、外出用バック等の役目も持たせる。ポケットの開口部にはフタや複数の着脱、開閉手段を取り付ける。目的があれば、ポケット内を細分化する。
【００１７】
防災服背中部の背負い紐固着部あたりに設ける背中ポケットや後ろ腰あたりに設ける後腰ポケットは大きくできるので大きな避難用品や外出用品を収納する。
【００１８】
又この背中ポケットの左右に繋げて背負い紐ポケットを設ける。この背負い紐ポケット内に背負い紐を固定する紐や着脱テープを取り付けておく。背中ポケットと背負い紐ポケット、又、後腰ポケットはマチやタックを取り入れた上で後身頃幅一杯に設けることで、ポケットと言うより後ろ身頃に見えるように設ける。
【００１９】
本防災服の左右の脇腹には履き物を入れる履物ポケットを設け、左の履物ポケットには左の履物を入れ、右の履き物ポケットには右の履物を入れる。履物の厚みはタックやギャザーやマチ等で対応し、長さは多めに取っておく。
【００２０】
このポケットの設け方は、防災服表側に貼り付けるように設ける方法と内側へ設ける方法、いずれも開口部を表側に設け形は着用者の好みや身体事情やＴＰＯに合わせ選 ぶ。
【００２１】
前身頃脇腹の履き物ポケットの近傍に余裕があれば前腰ポケットを設けておく。
【００２２】
本防災服胸あたりの左右、又はどちらかに透明、又は、強度ある薄布、又は、メッシュ等の透ける布を用い、胸ポケットを設ける。左右とも透けるようにしても良く、どちらかを不透明にしても良く、形は大きなままでも細分化しても良い。いずれにしても、収納物が見えないようにすっぽりと覆うフタを取り付ける。
【００２３】
防災服を胴あたりに裏布を利用するか、別布を取り付けるか、ウエストベルト通し紐を取付けるかして、ウエストベルト通しを設け、ウエストベルト、又は、ウエスト紐を通しておく。ウエストベルト先には着脱具を取り付けておく。
【００２４】
このウエストベルト通しから下の裏布は、有っても無くても良いが、収納機能を持たせないで、防災服内側に密着させてもよい。
【００２５】
ウエストベルト通しから上の後ろ身頃と、前身頃の裏布は弛みを持たせ、大きな物を収納するポケットとし、浮き用品等を入れるポケットとして利用する場合は、大きな浮き用品を素早く出し入れしたいので開口部を両袖付けあたりに大きく設け１〜３種類 の着脱手段を取り付ける。
【００２６】
又、この裏布の表側に貴重品ポケットを設け、１〜２種類の開閉着脱手段を取り付ける。
【００２７】
敷パットおいては、最低必要品を入れるポケットを、敷パット表布か裏布に貼り付けるか、又は、敷パット表布と中綿の間、中綿と内側布との間に設ける。
【００２８】
又、敷パットにおいて、被介護者の首が安定しない場合は、敷パットの頭部あたりから背中あたりまでか、腰あたりまで首の固定具を入れる固定具入れポケットを設け、固定具を入れる。ポケットにはジッパーや着脱具や留め具等を固着する。
【００２９】
固定具は通気性や放湿性のある固形板か、固形の板をメッシュ状や穴を空け、通気性や  放湿性を持たせる。
【００３０】
又、請求項４の防災服に附属する帽子は、防災服に縫着しても着脱手段で着脱しても良い。本帽子は共布、裏布、別布等を二重、又は、三重にし表布と裏布又は、別布の間に生じる空間を利用し、帽子の内側、又は、外側、又は、内外の双方に帽子ポケットを設けポケットの開口部に１〜２種類の開閉着脱手段を取り付ける。敷パットにおいても同様にする。
【００３１】
又この帽子の前面に紐通しを設け、紐を通し縮め帽子の脱落を防ぐ。又、顎にあたる部分に帽子ズレ防止のテープを取り付けるか、帽子を大きく作り顎あたりで重ね合わせて帽子の脱落を防ぐ。ズレ防止のテープを大きくし、マスク機能・フィルター機能を持たせてもよい。
【００３２】
請求項１〜６の防災服に抱き紐を着脱できるよう、防災服の肩と脇、抱き紐の両端に着脱具を取り付ける。抱き紐は新生児を包める布とし、強度のある薄布、又は、メッシュ素材にする。抱き紐の中央部に新生児等のズレや脱落を防止する肩布や胸布を取り付けておき、且つ、首が据わらない新生児には首の固定具を装着できる固定具ポケットを底部に設ける。その場合は固定具にクッション性を持たすか、抱き紐の底部にクッション性を持たすか、抱き紐の底部にクッションを敷く。使わない時は、大きいポケットに収納するか、家に置いておく。敷パットにおいては、敷パット背中部に固定具ポケットを設け、固定具を入れる。
【００３３】
防災服の裾端部と補助布の上端部に着脱手段を取り付け、双方を係着させ継ぎ足すことで本防災服の丈を長くし寝具のように使う。又、補助布は単独でテント様に使う、敷く、包む、巻く、運ぶ等に活用する。使わない時は、大きいポケットに収納 するか、家に置いておく。
【００３４】
請求項１〜５の発明による防災服、又、敷パットに使用する全部か、一部の着脱手段や開閉手段や長さ調節具等の器具や紐や用布の模様や各種マークに夜光性のある蓄光材を用いることもある。これら全ては強度と安全性、耐用度を重点に選び、着脱操作が簡便で素早いものとする。又、１カ所につき複数種の着脱具を用いることで身体能力や事態の緩急に対応する。
【発明の効果】
【００３５】
本発明は以上説明したように構成されているので、以下に記載されるような効果を奏する。
請求項１の発明の防災服又、敷パットに用いる布は、防炎効果や難燃効果のある防災布、又は、防水効果や撥水効果のある布、又、防炎、難燃、防水、撥水等の効果を併せ持つ布、又はそれらを加工してある布を用いるので防災できる。又、夏は涼しく、冬は暖かくなる一般布を用いることで季節に合い快適である。又、アレルギー肌や健康維持に対応した健康志向布を用いるとアレルギーや健康維持に対応でき、又、それらを組み合わせ用いるとそれぞれの効果を得られ、防災に備えつつ、より快適に普段生活を過ごすことができる。
【００３６】
防災服の形を普段に着用する、帽子付きの前開きのコート型としたので、普段通り通 勤、通学、買い物、旅行等の外出時に着用できる。普段に着用する場合は最低限の防 災用品しか収納しないので大がかりな防災用品の代わりに職場や学校や買い物や旅行等の外出に必要な品物を複数のポケットに収納できるので、カバンのように手で持つことなく行動でき、忘れ物も少なく身軽である。又、就寝中や入院中、障害状態においては、常に、その人に合う準備をして、且つ、保管スペースを取らずに常備できるので慣れ親しめることから、いざと言うときは、素早く容易に着用したり、着用させたりして持ち出すことで、保温や防災を受けて避難できる。衿や袖を季節と好みとＴＰＯに合わせても、防災服の機能は変わらない。
【００３７】
敷パットにおいては、日常に使用している敷パットを着衣状にする効果は、（イ）常時、体の下に敷いているので、すぐに間に合う。（ロ）装着は平面体の敷パットを、開き、当て、留めるだけなので、身体硬直状態の被介護者にも装着脱させやすく、被介護者の苦痛は少なく、介助者の介護負担は少なく、短時間でできる。（ハ）寒期には寝ている間に保温された敷パットをそのまま装着するので、寒気が入りにくい。（ニ）敷いている物を着衣とするので、洗濯量は増えない。平面体なので、干しやすく乾きやすく畳みやすい。（ホ）敷パットは、本来、夏涼しく、冬暖かく作られているので、季節に合う効果を得る。
【００３８】
上記のコート型とした防災服の背中部に背負い紐を固着したことで、本防災服の着用 者が、身体不自由状態になった時、別に背負い紐を用意しなくても素早く背負ってもらうことができる。又、普段生活の中で身体不自由状態の人や乳幼児等の移動や搬送や外出や授乳時に防災服を着用させると、この背負い紐で背負ったり、抱いたり、肩がけできるので介助者の負担が軽減され、より確実に安全に介助でき、介助者の両手又は片手が取られないので介助者の身体の安定も得られる。介助者以上の人を背負う事もできる。紐着脱具の規格が同じであれば、別の紐着脱具へ係着できる。敷パットにおいても同様の効果を得る。
【００３９】
本防災服の背負い紐を数カ所で分断し、分断先や紐先と本防災服の裾尻部に着脱手段を固着しそれぞれを係着させると防災服自体は、リュック状となり、着用者をリュックを背負うように背負うことができる。リュック状なので簡便に素早く背負え介助者は手を取られないので安全である。
【００４０】
敷パットにおいては、新生児の首の不安定期や授乳の際の横抱きもでき、紐を介助者の背中でクロスさせておくと、横抱きの右抱き、左抱き、又、縦抱きへも変化させられる。授乳が長引いたり、機嫌が悪かったり、買物等で長時間抱いても介助者の負担は少なく、片手又両手の自由を得て、他の用事をこなす事ができる。背負っても同様の効果を得る。
【００４１】
又、体重の重い被介護者を寝起きさせる時、このリュツク状の紐を介助者の両肩、又は、片方に肩がけすると、安定性が得られ、落としにくい。
【００４２】
防災服の丈が短い場合、後ろ身頃の裾尻部を長くし尻を完全に包むリュック状とできる。裾尻部を使用しない時は裾尻部は前身頃の裾と同じ丈まで折り上げ着脱手段で止めておくので邪魔にならない。逆に防災服の丈が長い場合、両脇にスリットを入れたり、上へ折り上げ着脱手段で止めると歩行し易い。
【００４３】
実施による効果として、この防災服を着用した身長１７８センチメートルで８０キログラムの男性を、身長１５８センチメートルで６０キログラムの女性が背負い歩行した。この防災服を着用した２３キログラムの子どもを体重６０キログラムの女性が背負い、前に１３キログラムの子どもを両手で抱き通常に歩行できた。１３キログラムの子どもにも着用させ抱くとこの女性の両手、片手が自由でより楽に歩行できた。この背負い紐は防災服背中に固着されているので着用している限り、着用者が脱落することは無く、ウエストベルトを装着しておればより安全である。
【００４４】
防災服を着用するか、着衣状にして固着した紐で背負うと、重心が上がり、重さが紐に分散され、軽く感じられる。そして、着用とか着衣状に包み背負うと、重みは衣類のあちこちへも分散され、かつ、安定もありより軽く感じる。今まではリュックのように、物を入れて背負うとか、薪のように括って背負うとか、背負い紐をあてて背負う方法はよく行うが、このように物体に密着させて包み背負うという方法は、あるようでなかったように思う。
【００４５】
敷パットにおいても、敷パット背中部に背負い紐が固着されている事と、着衣状に装着し、各留め具や着脱具を係着させる事で、一般の背負い具で背負うよりは、安全である。又、体重の重い被介護者を寝起きさせたり、移動させる時、紐を介助者の肩へかけて行うと、安定し、落としにくい。
【００４６】
吊り上げ救助する際、紐だけの場合が多く、縛り方が安全性に欠けたり縛る苦痛が伴うが、本防災服を着用させ、ウエストベルトを装着し裾尻部を股間に鋏み上げて、背負い紐と着脱し、リュック状又は、クロスリュック状にし、長さ調節具で短くして吊り上げると苦痛は少なく、風水害、暑さ寒さ、炎や雑木等の障害物があっても被害は少なくて済む。
【００４７】
一人で背負えなくても数人でこの紐を引きずるか、持ち上げるか、担ぐかして移動させることができる。引きずる場合や首が不安定な場合は固定具か板状の物を背中に入れウエストベルトで固定し、帽子をかぶせると首の安定を得る。
【００４８】
敷パット上の被介護者の首が不安定な時は、背中部の固定具入れポケットに、固定具を入れてから、敷パット下半身部左右両端を打ち合わせ、着脱具を係着させ、ウエストベルトがあれば、ウエストベルトの着脱具を係着させると、首は安定する。敷パットの上半身部を折り下げ、この着脱具を下半身部の着脱具に係着させると、より安定し寒気が入りにくい。帽子をかぶせるとより安定する。
【００４９】
首の固定具は放湿性や通気性があるので、むれにくく、固いので安定させる。
【００５０】
請求項１〜３の発明による防災服の複数のポケットは、普段生活にはカバンの役目、災害時には、避難袋の役割を果たせ、常時、収納しておけば防災服を着用する事で、必然的に必要品を持ち出す事となり、あれこれと持たずに、両手又は片手の自由を得て目的地まで行ける。必要品を収納し、この防災服一着を保管するだけなので、保管スペースや管理手間は少なくてすむ。目的があれば、ポケット内を細分化すると、目的に叶う。
【００５１】
又、背中ポケットの左右に繋げて背負い紐ポケットを設けたので、使用時以外は、このポケットに背負い紐を収納しておく事ができる。背負い紐ポケット内に背負い紐を固定する紐、又は、着脱テープを取り付けたので、背負い紐を収納しても、固定でき、ゴロゴロしない。
【００５２】
背中ポケットと背負い紐ポケット、又、後ろ腰ポケットの幅を後ろ身頃をすっぽり覆うような幅にし、後ろ身頃と一体化させたので、ポケットは、後ろ身頃のように見え、防災服というより、一般コートのように普段に着用しやすく、しかも、収納力がある。
【００５３】
又、本防災服の左右の脇腹部には、履き物を入れる履き物ポケットを設け、左右の履き物を左右に分けて入れるので、暗闇で、左右を間違えずに履く事ができる。又、外出中は、履き物を履いているので、履き物を入れる必要がなく、履き物による突起や、ゴロゴロ感はない。又、履き物の厚みや大きさはギャザーやタックやマチで対応し、開口部を大きくしておく事で、履き物の出し入れは、手間取らない。
【００５４】
履き物ポケットを防災服の表側に、貼り付ける方法は、カジュアルなイメージが強く、内側に設ける方法は、フォーマルなイメージに近くなる。機能は同じなので、設け方によって着用者の身体事情やＴＰＯに合う外見にする事ができる。
【００５５】
又、この履き物ポケットの横の前腰ポケットは、度々と使う小型の物を入れられる。このポケットも、履き物ポケット同様の、設け方をし、幅広い着用者やＴＰＯに合わせられる。  
【００５６】
本防災服の左右又は、どちらかに設けた胸ポケットは、強度のある透ける素材を用いたので、点灯した明かりを入れると、手で持たず、明るさを得る。常備薬や、身分証明書や、笛等を入れておくと、意識のない状態でも、誰かに対応してもらえる。普段は大きめのフタををし、プライバシーは守られる。
【００５７】
複数のポケットほとんどには、フタを取り付け、かつ、複数の着脱具を固着するので、着用者や介助者の身体事情や事態の緩急に対応できる。
【００５８】
本防災服のウエストベルト又は紐を、係着させるか、結ぶと、風や水害にも脱げにくく、収納品が固定され、放出しにくく、グラグラしないので、着用者の行動は妨げられない。又、ウエストベルトにつかまったり、つかまえてもらえ、ベルトを防災服内に内蔵させると、突起物にひっかかりにくい。
【００５９】
ウエストベルトから上の裏布を利用して設けた大ポケットに、浮き用品を入れる場合、開口部を大きくすると、大きい浮き用品が入れられ、取り出しやすい。開口部に複数の着脱手段があるので、緩急の事態に対応でき、収納品が流出しにくい。
【００６０】
本防災服、又、敷パットに付属する帽子の、内、又は外、又は、内外双方のポケットに緩衝用品を入れると、頭部を守る事ができる。緩衝用品の代わりに、オシメやタオルやティッシュ等の軽量な必要品を入れたり、水害危険地では浮き用品を入れ、緩衝用品の役目を果たし、かつ、収納品の役目を果たす事ができる。
【００６１】
帽子がズレにくい工夫もあり、又、帽子は着脱手段により、防災服から外し、枕や手提げ袋の代用にする事もできる。
【００６２】
本防災服内に着脱できる抱き紐は、首のすわらない新生児を、通常の横抱きに近い状態で、抱く事ができ、ペットや品物を包み、抱き運べる。抱き紐の中央あたりに、肩と胸を固定する布又はベルトがあるので、脱落防止になる。又、抱き紐の底部に板のような固定具を敷くと、首は安定する。避難の場合は、本防災服の前の打ち合わせを閉め、ウエストベルトを装着すると、より安定する。この抱き紐は、防災服内側に係着せず、単独で包む、運ぶ、抱く事もでき、避難後に防災服の各ポケット内の収納品をこれに移せば、身軽さを得る。
【００６３】
本防災服裾端に、補助布上端部を着脱手段で、係着すると、防災服の丈が延び、足を伸ばし寝られる。又、補助布単独で、包む、隠す、掛ける、敷く、巻く、運ぶ等の活用ができ避難生活や野外活動に便利である。
【００６４】
本防災服、又、敷パットに使用する着脱手段や開閉手段や紐や用布や模様やマークに、夜光性のあるものを用いると、防災服の存在を知らせ、方角や持ち主が特定でき、素早く行動できる。暗闇の中、声を出せなくても、人の存在を知らせる事ができる。
本発明の防災服により、以上のような効果を得られた。
【発明を実施するための最良の形態】
【００６５】
発明の実施の形態を実施例に基づき、図面をもって説明する。
【００６６】
図１・図２・図５・図６・図７・図８・図１３・図１４・図１５にあるポケットは、目的があれば細分化したり、大きくしたり、素材や形を変えてもよい。衿や袖は季節、好み、ＴＰＯに合わせる。
【実施例１】
【００６７】
図１のような背面の防災服４の背中に目的に合うマチやタックを入れ、背中ポケット３ｂと、それにつなげて、背負い紐ポケット３ｃを設け、後ろ腰に後ろ腰ポケット３ｄを設ける。それぞれのポケットの開口部９には、着脱手段１ａ、１ｃのうち、複数固着する。開口部９の上には、フタ５を設けるが、フタ５は別布をあてたり、挟んだり、表布を長くして延ばして、フタ５とする。胴にウエストベルト通し７を設け、ウエストベルト又は、紐８を通す。
【００６８】
背負い紐６ａは図３のように、表布後ろ身頃背中に固着する。
【実施例２】
【００６９】
図２のような防災服４の背面のポケットは、図１と同じように設けるが、フタの設け方を変える。それぞれ目的に合うタックやマチのある、背中ポケット３ｂと、背負い紐ポケット３ｃと、後ろ腰ポケット３ｄを設け、それぞれの開口部に、着脱手段１ａ、１ｃのうち複数を固着する。背中ポケット３ｂのフタは、防災服４の肩布を延ばしてフタ５とし、後ろ腰ポケット３ｄは、防災服４の胴布を、伸ばしてフタ５とする。背負い紐ポケットの開口部９aは、防災服袖付け側に縦に長く設け、タックを取り、着脱手段１ａ又は、１ｃで留める。こうする事で実施１の背面よりは後ろ身頃そのものの形に近くなる。
【００７０】
胴の裏地と表地を縫い合わせ、ウエストベルト通し７を設け、ベルトか、紐８を通す。
【００７１】
背負い紐は図４のように、３〜４分断し、背負い紐６ｂに着脱具１ｂを通し、防災服４の背中に固着する。これに継げる背負い紐背負い部６ｃの両紐先に１ｂ´を固着し、中間部に長さ調節具１１を通し、その上下にズレ防止具１０と１０´を固着する。又、防災服４の裾尻部１２の左右角に、着脱具１ｂを固着し、背負い紐６ｂ、６ｃと裾尻部１２の着脱具１ｂと１ｂ´を係着させると、本防災服は、リュック状となり、背負える。障害者を抱き起こすときや支えるときリュック状の紐を介助者の片肩か両肩にかけて安定を得る。
【実施例３】
【００７２】
前面に設ける複数のポケットは、図５の３ｅ、３ｇ、３ｆのように、防災服４に貼り付けて設け、着脱手段１のうち、どれかを固着する。フタ５は貼り付けるか、布の間に挟みこみ、フタ５とする。胸ポケット３ｅは透けるので、大きめのフタを設ける。履き物ポケット３fの開口部は大きいので、未収納の時は、ダランと垂れるので、開口部を伸縮させるか、着脱手段１ｃ等で、縮められるようにする。前腰ポケット３ｇは、厚みを少なくする。
【００７３】
ウエストベルト通し７は、防災服４に内蔵させ、ウエストベルトかウエスト紐８を通す。
【実施例４】
【００７４】
図６のように、前面に設ける複数ポケット３ｅ、３ｆ、３ｇの収納部は、防災服４内に、内蔵させ、フタ５は表布を延ばし、折り上げるか、裏布を付けフタ５とする。開口部には着脱手段１ａ、１ｃを固着する。
【００７５】
図６の胸ポケット３ｅは透けるので、フタを大きく、ヨーク状にしてもよく、明かりを点灯した時は、ヨーク状のフタ５をフタ裏側へ折り上げ留める。履き物ポケット３ｆの開口部は、履き物の厚みに対応して大きくとり、足らない分は内蔵するポケット布に、ギャザーやタックを取ったり、伸縮する布を用い対応する。フタは胴布を延ばし、折り上げるか、延ばした布に裏布を付け、フタ５とする。内蔵するポケットの上部をウエスト紐通しまで、延ばしておくと開口部はより大きくなる。
【００７６】
ウエスト紐通し７を設け、ウエストベルト８を通す。
【実施例５】
【００７７】
図７の前面に設けるポケット３ｅ、３ｆ、３ｇは、フタ５を表側に付け、フタや開口部には、着脱手段１ａ、１ｂ、１ｃのいずれかの複数を固着する。胸ポケット３ｅは胸に貼り付け、フタを大きく取る。履き物ポケット３ｆは、防災服４の両脇に開口部９bを大きくとり、ポケット収納部は防災服内へ内蔵する。この開口部９ｂに着脱手段１ａ、１ｃをいずれかを複数固着する。フタは設けなくてもよいが、フタを設ける場合は、脇に添わせ縦に設ける。前腰ポケット３ｇの開口部とフタ５は、表に設け、収納部は内蔵させた。  
【００７８】
実施例１〜５に設けるポケットやフタは形を変えたり、組み合わせたり履物ポケット以外のポケットを細分化したり大きくしたり形を変えても機能は変わらない。
ウエストベルト通し７に、ウエストベルト８を通す。
【００７９】
図８のように防災服４の裏側のベルト通し７から下の裏布下部１７ｂは、表地にぴったり添わせ、裏布上部１７ａは、前身頃見返し部以外の裏布を弛ませ、タックを取り、このタックの厚み分の浮き用品を入れるための、浮き入れポケット３ｈとする。用品の出し入れは、裏布袖付け部１６から脇にかけて、開口部９ｃを設け、着脱手段１ａ、１ｃのうち複数を固着する。裏布に袖がある場合は、裏布の袖付けは、表布袖付け部１６へ縫着する。このポケットの上に貴重品ポケット３iを設け、開口部へ着脱手段１ａ、１ｃのうちいずれかを複数固着する。
【００８０】
図９のように防災服が短い場合、尻を包める丈まで後ろ身頃１３を伸ばすか、別布を縫着して長くし、裾尻部１２位置の左右角に、着脱具１ｂを固着する。使用時以外は、前身頃１４の裾丈より長い分を上へ折り上げ、後ろ身頃内側１３ｂへと着脱手段１ｃで留めておく。
【００８１】
第１０図のように防災服４全体が長い場合は、両脇にスリット１５を入れてもよく、尻を包める位置を裾尻部として、左右に着脱具１ｂを固着する。又、丈の長さを短くするために、着脱手段１ｃを前身頃１４ｂと後身頃１３ｂの裾全体に、一列に固着し、それより上へだんだんと何列か着脱手段１ｃ´を固着し、この１ｃと１ｃ´を係着させ、丈を何段かに上げて短くでき、係脱して元に戻す。
【００８２】
図１１のように後ろ身頃１３の表布か、裏布の裾尻部１２ヘム裏側に、背負い紐尻受け部６ｄを逢着し、その左右紐先に、着脱手段１ｂを固着すると、より安全である。
【００８３】
帽子にポケットを設けるため、図１２のａのように、布を三重にすると、内ポケットと外ポケットが設けられる。図１２のbのように二重にすると、内ポケットか、外ポケットのどちらかであるが、中で数カ所仕切りを入れ、仕切りからいずれかを内ポケットとし、いずれかを外ポケットにする事もできる。このポケットに緩衝用品や浮き用品を入れると防災でき、タオル等必要品で緩衝効果も得られる。収納部は普段には、首、顔周辺を避けたいが、防災には首や顔も保護できるようにする事もよい。開口部は図１、図２、図１３、図１４、図１５のジッパー１ａ取り付け部であるが、ＴＰＯや好みに合わせ，適位置に設け、着脱手段１ａを固着する。帽子布を延ばし、タック等か、別布でジッパー１ａを隠すと、ジッパー１ａは壊れにくい。
【００８４】
１３図のように前面に紐通し１８を設け、紐１９を通し、紐１９を縮め、帽子のズレを防止し、できたギャザーで、帽子の縁とする。
【００８５】
図１４のように帽子前面上に縁２０を設け、顎のあたりにズレ防止布２１を設け着脱手段１ｂか１ｃを固着し、これを着脱する。このズレ防止布２１を大きくすると、防災力は大きくなり、マスク機能を持つ。フィルターを付けると、フィルターの目的の健康維持や防毒等のフィルター機能を得る。使わない時は、帽子裏側へ留めておく
図１５のように、帽子の布の顎あたりを多めにとり、前で打ち合わせ、図４の機能を果たす。
【００８６】
図１７ａの抱き紐２２ａは、強度のある薄布か、メッシュ素材のような、軽量な布を用いるか、健康志向布を用いるか、組み合わせるかして作る。両端２５をギャザー又は、タックで絞った先に、着脱具１ｂ´を取り付ける。中央部には、肩布かテープ２３と胸布かテープ２４を固着する。抱き紐の底には、固定具２７を出し入れする固定具ポケット３ｊを設け、これの開口部に着脱手段１ａ、１ｃのいずれかを固着する。
【００８７】
固定具２７は固形で放湿性のあるものか、メッシュ状にして放湿性を得た固形とする。子どもを抱く時は、この固定具２７を底に敷くか、固定具入れポケット３ｊに収納して用いる場合は、この固定具か抱き紐２２ａの底にクッション性をもたすか、クッション性のある物を敷く。  
【００８８】
使用に際しては、図１６のように抱き紐２２ａの両端２５の着脱具１ｂ´を防災服４の肩と脇の着脱手段１ｂに係着させ、子を抱き、抱き紐２２ａの肩と胸の布又は、ベルト２３、２４を留める。防寒・防災には防災服の前を打ち合わせ、着脱手段１を複数、係着し、ウエストベルト８を装着する。災害時は、念のため抱き紐２２ａの布端２６の着脱手段１ａか１ｃを閉じる。防災服の左右の着脱具で、右抱き、左抱きを選ぶ。
【００８９】
又、図１７ｂの補助抱き紐２２ｂは、別の紐又はテープの両端に、着脱具１ｂと中央に長さ調節具１１を固着し、補助抱き紐２２bとする。抱き紐２２ａと、補助抱き紐２２ｂの着脱具１ｂと１ｂ´を係着させ、単独で抱き紐として使う。補助抱き紐２２ｂは、介助者の肩にくいこまない幅や、厚みとするか、くいこみ防止具を使う。
【００９０】
図１８のように、本防災服４に係着する補助布２８の上端部に着脱手段１ａ´、１ｃ´のいずれかを固着し、これを防災服裏布１３ｂ、１４ｂの着脱手段１ａ、1ｃのいずれかを固着したものに、係着し、丈を長くして、寝具用に使う他、避難や野外活動では、この補助布単独で、包む、隠す、掛ける、敷く、巻く、運ぶのに使う。
【００９１】
敷パットを防災用、又、移動用にしようするために、図１９、図２０、図２１のように切り込み３０のジッパー３１を開き、脇下の下半身部３３を巻き包み、上半身部３２を折り下げ、上半身を覆い、それぞれの打ち合わせ部に固着した着脱具１b１ｃと係着し、図２２、図２３のように着衣状にする。又、股のジッパーを開き、図２３、図２４のように左右の足を包み打ち合わせ、着脱手段１のいずれかで留め、ズボン状にする事もでき、子どもの場合ズボン状にすると、チャイルドシートに乗せる事も遊ばせる事もできる。防災などの場合は、図２４のようにすっぽり包む。
【００９２】
本敷パットを背負うためには、図２５又は図２６か図２７の背負い紐で防災服同様に背負う。この背負い紐の取り付け位置は、図２８のように頭の比重が大きい乳幼児や子どもは、aのように脇より上へ、成人に近いほど頭の比重が小さくなるので、ｂのように脇より下へ取り付ける。
【００９３】
本敷パットで、乳幼児を抱く場合は、本敷パットを着衣状にして抱き、背負い紐６を介助者の背中でクロスして、紐先の着脱具を裾尻受け部に係着すると、新生児や授乳用の横抱きができ、右抱き、左抱き、縦抱きへと変化させられる。片方の肩へこの背負い紐をかけるだけでも負担は軽減される。
【００９４】
被介護者の首が安定しない時は、図２９の固定具ポケット３ｊに固定具２７を入れ、首を安定させる。固定具ポケット３ｊは、図２９、図３０、図３１のように様々なバリエーションで楽しむ事ができ、機能は変わらない。
【００９５】
首の固定具２７は図１７cのように通気性や放湿性のある板状の固形物かメッシュ状や穴あき等で通気性や放湿性を持たせた板状の固形物とする。
【００９６】
防災服や敷パット及び付属する帽子や抱き紐に使用する着脱手段や固着手段や開閉手段その他器具や紐や用布や模様やマーク等に夜光性のある物を一部又は全部に用いる事もある。
【図面の簡単な説明】
【００９７】
【図１】防災服実施１の背面図。
【図２】防災服実施２の背面図。
【図３】防災服実施１で背負い紐を固着した略背面図。
【図４】防災服実施２で背負い紐を固着した略背面図。
【図５】防災服実施３の正面図。
【図６】防災服実施４の正面図。
【図７】防災服実施５の正面図。
【図８】防災服裏側の略斜視図。
【図９】防災服裏側裾の説明図。
【図１０】防災服裏側裾の説明図。
【図１１】防災服裏側裾の説明図。
【図１２】aは帽子の内ポケットと外ポケットの説明図、bは帽子の内ポケット又は、外ポケットの説明図。
【図１３】帽子１の斜視図。
【図１４】帽子２の斜視図。
【図１５】帽子３の斜視図。
【図１６】防災服の内側に抱き紐を係着した略斜視図。
【図１７】aは抱き紐の斜視図、bは補助抱き紐の斜視図、cは抱き紐の固定具の正面図。
【図１８】防災服に補助布を係着した略斜視図。
【図１９】敷パット切り込み１の説明図。
【図２０】敷パット切り込み２の説明図。
【図２１】敷パット切り込み３の説明図。
【図２２】切り込みのジッパーを開き、着衣状にした斜視図。
【図２３】着衣状のバリエーションで下半身部をズボン状にした斜視図。
【図２４】災害時の着衣状の斜視図。
【図２５】背負い紐を敷パットに固着した略背面図。
【図２６】背負い紐を分断し、固着した略背面図１。
【図２７】背負い紐を分断し、固着した略背面図２。
【図２８】乳児用又は、子ども用の背負い紐取り付け位置、bは子ども、大人用の背負い紐取り付け位置。
【図２９】固定具入れポケットのバリエーション１の略背面図。
【図３０】固定具入れポケットのバリエーション２の略背面図。
【図３１】固定具入れポケットのバリエーション３の略背面図。
【符号の説明】
【００９８】
１        着脱手段
１ａ      ジッパー
１ｂ      着脱具
１ｃ      留め具または着脱テープ
２        帽子
３ａ      帽子ポケット
３ｂ      背中ポケット
３ｃ      背負い紐ポケット
３ｄ      後ろ腰ポケット
３ｅ      胸ポケット
３ｆ      履き物ポケット
３ｇ      前腰ポケット
３ｈ      浮き入れポッケット
３ｉ      貴重品ポケット
３ｊ      固定具ポケット4
４        防災服
５        フタ
６ａ      背負い紐
６ｂ      背負い紐背中部
６ｃ      背負い紐背負い部
６ｄ      背負い紐尻受け部
７        ウエストベルト通し
８        ウエストベルトか紐
９        開口部
９ａ      背負い紐ポケット開口部
９ｂ      履き物ポケット開口部  
９ｃ      浮き入れポケット開口部
１０・１０′  ズレ防止紐か着脱具
１１      長さ調節具
１２      裾尻部
１２ａ    裾尻部ヘム
１３ａ    後ろ身頃表側
１３ｂ    後ろ身頃裏側
１４ａ    前身頃表側
１４ｂ    前身頃裏側
１５      スリット
１６      袖付け部
１７ａ    裏布上部
１７ｂ    裏布下部
１８      帽子紐通し
１９      帽子紐
２０      帽子の縁
２１      ズレ防止テープ
２２ａ    抱き紐
２２ｂ    補助抱き紐
２３      肩布かテープ
２４      胸布かテープ
２５      抱き紐両端
２６      抱き紐布端
２７      固定具
２８      補助布
２９      敷パット
３０      切り込み
３１      切り込みのジッパー
３２      敷パット上半身部
３３      敷パット下半身部
【図１】
2004337593.tif 000003
【図２】
2004337593.tif 000004
【図３】
2004337593.tif 000005
【図４】
2004337593.tif 000006
【図５】
2004337593.tif 000007
【図６】
2004337593.tif 000008
【図７】
2004337593.tif 000009
【図８】
2004337593.tif 000010
【図９】
2004337593.tif 000011
【図１０】
2004337593.tif 000012
【図１１】
2004337593.tif 000013
【図１２】
2004337593.tif 000014
【図１３】
2004337593.tif 000015
【図１４】
2004337593.tif 000016
【図１５】
2004337593.tif 000017
【図１６】
2004337593.tif 000018
【図１７】
2004337593.tif 000019
【図１８】
2004337593.tif 000020
【図１９】
2004337593.tif 000021
【図２０】
2004337593.tif 000022
【図２１】
2004337593.tif 000023
【図２２】
2004337593.tif 000024
【図２３】
2004337593.tif 000025
【図２４】
2004337593.tif 000026
【図２５】
2004337593.tif 000027
【図２６】
2004337593.tif 000028
【図２７】
2004337593.tif 000029
【図２８】
2004337593.tif 000030
【図２９】
2004337593.tif 000031
【図３０】
2004337593.tif 000032
【図３１】
2004337593.tif 000033